(57)【要約】【課題】バッテリー部の残量が所定以下になると、特定相手先に関する特定相手先データを表示部に表示させることができる携帯電話装置及び携帯電話装置のデータ表示方法を提供する。【解決手段】所定のデータを表示する表示部４２と、所定のデータを記憶する記憶部４０と、所定の機能を作動させるバッテリー部５６と、バッテリー部５６の残量を検出する検出部５８と、バッテリー部５６の残量が所定以下か否かを検出部５８の検出結果に基づいて判断しバッテリー部５６の残量が所定以下になると、バッテリー部５６により作動する特定の機能を停止させ、記憶部４０に記憶された特定相手先に関する特定相手先データを表示部４２に表示させる制御部３６と、を有する構成とした。【選択図】      図１
2006217258.tif 000002
【特許請求の範囲】
【請求項１】
所定のデータを表示する表示部と、所定のデータを記憶する記憶部と、所定の機能を作動させるバッテリー部と、前記バッテリー部の残量を検出する検出部と、前記バッテリー部の残量が所定以下か否かを前記検出部の検出結果に基づいて判断し前記バッテリー部の残量が所定以下になると、前記バッテリー部により作動する特定の機能を停止させ、前記記憶部に記憶された特定相手先に関する特定相手先データを前記表示部に表示させる制御部と、を有することを特徴とする携帯電話装置。
【請求項２】
前記特定相手先データは、特定相手先の電話番号又は／及び相手先に関するメモ内容であることを特徴とする請求項１に記載の携帯電話装置。
【請求項３】
バッテリー部の残量が所定以下か否かを検出部の検出結果に基づいて制御部により判断する第１工程と、前記バッテリー部の残量が所定以下になると、前記バッテリー部により作動する特定の機能を前記制御部により停止するとともに、記憶部に記憶された特定相手先に関する特定相手先データを表示部に表示する第２工程と、を有することを特徴とする携帯電話装置のデータ表示方法。
【請求項４】
前記特定相手先データは、特定相手先の電話番号又は／及び相手先に関するメモ内容であることを特徴とする請求項３に記載の携帯電話装置のデータ表示方法。
【発明の詳細な説明】
【技術分野】
【０００１】
本発明は、携帯電話装置及び携帯電話装置のデータ表示方法に関する。
【背景技術】
【０００２】
従来の携帯電話装置を使用しているときにバッテリー部の残量が切れると、通信状態を維持することができなくなる。このとき、バッテリー部を充電する必要があるが、緊急を要する場合などでは、特定の相手先に直ちに発呼する必要がある。
【０００３】
ここで、下記特許文献１に記載の携帯電話装置には、通信時に発呼側の電話番号を記憶し、バッテリー部の残量切れにより通信が途中で遮断しても発呼側の電話番号の記憶を維持することにより、バッテリー部の充電後に、記憶した発呼側の電話番号を読み出して表示部に表示させるものが開示されている。
【特許文献１】特開平９−１３９９８１号公報
【発明の開示】
【発明が解決しようとする課題】
【０００４】
ところで、上記従来の携帯電話装置は、発呼側の電話番号がバッテリー部の充電あるいは交換後に表示部に表示されその表示に基づいて発呼するため、バッテリー部の充電作業や交換作業が必要となり、緊急性を要する場合には不向きであった。
【０００５】
そこで、本発明は、上記事情を考慮し、バッテリー部の残量が所定以下になると、特定相手先に関する特定相手先データを表示部に表示させることができる携帯電話装置及び携帯電話装置のデータ表示方法を提供することを目的とする。
【課題を解決するための手段】
【０００６】
請求項１に記載の発明は、所定のデータを表示する表示部と、所定のデータを記憶する記憶部と、所定の機能を作動させるバッテリー部と、前記バッテリー部の残量を検出する検出部と、前記バッテリー部の残量が所定以下か否かを前記検出部の検出結果に基づいて判断し前記バッテリー部の残量が所定以下になると、前記バッテリー部により作動する特定の機能を停止させ、前記記憶部に記憶された特定相手先に関する特定相手先データを前記表示部に表示させる制御部と、を有することを特徴とする。
【０００７】
請求項１に記載の発明によれば、バッテリー部の残量が所定以下か否かが検出部の検出結果に基づいて制御部により判断される。そして、バッテリー部の残量が所定以下になると、バッテリー部により作動する特定の機能が制御部により停止され、記憶部に記憶された特定相手先に関する特定相手先データが制御部により表示部に表示される。このように、バッテリー部の残量の消費を可能な限り軽減できるため通話途中でバッテリー部の残量が切れ通話状態が維持できなくなる前に、特定相手先データを知ることができる。この結果、ユーザは表示部に表示された特定相手先データを参照して公衆電話や知人から借用した携帯電話装置から特定相手先に発呼することができる。
【０００８】
以上のように、携帯電話装置のバッテリー部の残量が所定以下になると特定相手先に関する特定相手先データを確認することができるため、通話途中で携帯電話装置のバッテリー部の残量が切れバッテリー部を充電あるいは交換した後に特定相手先に連絡する従来の携帯電話装置と比較して、早急かつ確実に特定相手先と連絡をとることができ、特に緊急を要する場合には好都合となる。
【０００９】
本明細書における「特定の機能」とは、相手先の電話番号を表示部に表示させる機能以外の機能であり、例えば、通話機能、通信機能、待受機能などバッテリー部により作動する全ての機能を意味するものとする。また、「特定相手先データ」とは、例えば特定相手先の電話番号や特定相手先に関するメモ内容などの特定相手先に関するデータ一般を意味する。
【００１０】
請求項２に記載の発明は、請求項１に記載の携帯電話装置において、前記特定相手先データは、特定相手先の電話番号又は／及び相手先に関するメモ内容であることを特徴とする。
【００１１】
請求項２に記載の発明によれば、特定相手先データが特定相手先の電話番号又は／及び特定相手先に関するメモ内容であり、ユーザが表示部を見れば電話番号がわかるため、特定相手先と連絡することができ、あるいは特定相手先に関する情報を知ることができる。
【００１２】
請求項３に記載の発明は、バッテリー部の残量が所定以下か否かを検出部の検出結果に基づいて制御部により判断する第１工程と、前記バッテリー部の残量が所定以下になると、前記バッテリー部により作動する特定の機能を前記制御部により停止するとともに、記憶部に記憶された特定相手先に関する特定相手先データを表示部に表示する第２工程と、を有することを特徴とする。
【００１３】
請求項３に記載の発明によれば、第１工程において、バッテリー部の残量が所定以下か否かが検出部の検出結果に基づいて制御部により判断される。第２工程において、バッテリー部の残量が所定以下になると、バッテリー部により作動する特定の機能が制御部により停止されるとともに、記憶部に記憶された特定相手先に関する特定相手先データが表示部に表示される。このように、バッテリー部の残量の消費を可能な限り軽減できるため通話途中でバッテリー部の残量が切れ通話状態が維持できなくなる前に、特定相手先データを知ることができる。この結果、ユーザは表示部に表示された特定相手先データを参照して公衆電話や知人から借用した携帯電話装置から特定相手先に発呼することができる。
【００１４】
以上のように、携帯電話装置のバッテリー部の残量が所定以下になると特定相手先に関する特定相手先データを確認することができるため、通話途中で携帯電話装置のバッテリー部の残量が切れバッテリー部を充電あるいは交換した後に特定相手先に連絡する従来の携帯電話装置と比較して、早急かつ確実に特定相手先と連絡をとることができ、特に緊急を要する場合には好都合となる。
【００１５】
本明細書における「特定の機能」とは、相手先の電話番号を表示部に表示させる機能以外の機能であり、例えば、通話機能、通信機能、待受機能などバッテリー部により作動する全ての機能を意味するものとする。また、「特定相手先データ」とは、例えば特定相手先の電話番号や特定相手先に関するメモ内容などの特定相手先に関するデータ一般を意味する。
【００１６】
請求項４に記載の発明は、請求項３に記載の携帯電話装置のデータ表示方法において、前記特定相手先データは、特定相手先の電話番号又は／及び相手先に関するメモ内容であることを特徴とする。
【００１７】
請求項４に記載の発明によれば、特定相手先データが特定相手先の電話番号又は／及び特定相手先に関するメモ内容であり、ユーザが表示部を見れば電話番号がわかるため、特定相手先と連絡することができ、あるいは特定相手先に関する情報を知ることができる。
【発明の効果】
【００１８】
本発明によれば、バッテリー部の残量が所定以下になると、特定相手先に関する特定相手先データを表示部に表示させることができる。
【発明を実施するための最良の形態】
【００１９】
次に、本発明の一実施形態に係る携帯電話装置について、図面を参照して説明する。
【００２０】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００２１】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２２】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２３】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２４】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２５】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２６】
また、通信部１２、ベースバンド部１４及び切替回路２２には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
【００２７】
ここで、ＲＡＭ４０には、所定の情報が記憶されている。具体的には、ＲＡＭ４０には、特定相手先の電話番号や特定相手先に関して説明したメモなどの特定相手先に関する特定相手先データが記憶されている。これにより、バッテリー部５６の残量が所定以下になると、特定相手先データが制御回路３６によりディスプレイ（表示部）４２に表示させることができる。また、ＲＡＭ４０に複数の特定相手先データを記憶させる場合には、複数の特定相手先データの他に、各特定相手先の氏名と所定の番号との対応関係を示す対応データがＲＡＭ４０に記憶されている。これにより、バッテリー部５６の残量が所定以下になると、各特定相手先氏名と所定の番号との対応関係がディスプレイ４２に表示され、さらにユーザが入力部４４のテンキー４８により所定の番号を入力すると、その所定の番号に対応する特定相手先に関する特定相手先データがディスプレイ４２に表示される。また、ＲＡＭ４０には、特定相手先データをディスプレイ４２に表示させるときのバッテリー部５６の残量が記憶されている。
【００２８】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、を有している。
【００２９】
また、制御回路３６には、所定の色のＬＥＤ素子を備えた照明部４６が接続されている。照明部４６のＬＥＤ素子の発光により、ディスプレイ４２が所定の色に施される。なお、ディスプレイ４２は、テンキー４８と同一平面上に位置するメインディスプレイの他に、メインディスプレイの背面側に位置するサブディスプレイなども含まれる。
【００３０】
また、制御回路３６には、例えば充電電池などで構成されるバッテリー部５６が接続されている。
【００３１】
さらに、制御回路３６には、バッテリー部５６の残量を検出する検出部５８が接続されている。この検出部５８には、タイマーが内蔵されており、このタイマーにより通信時間（通話時間）を計測して、バッテリー部５６の残量が検出される。
【００３２】
次に、本実施形態に係る携帯電話装置１０のデータ表示方法について、図２に示すフローチャートに基づいて説明する。
【００３３】
図２に示すように、検出部５８によりバッテリー部５６の残量が検出される（ステップ１００）。次に、検出部５８により検出された検出結果とＲＡＭ４０に記憶されたバッテリー部５６の残量に関するデータとに基づいて、制御回路３６によりバッテリー部５６の残量が所定以下か否かが判断される（第１工程、ステップ１２０）。制御回路３６によりバッテリー部５６の残量が所定以下と判断されると、バッテリー部５６により作動する特定の機能が制御回路３６により停止され、かつ制御回路３６によりディスプレイ４２が制御されて特定相手先データがディスプレイ４２（メインディスプレイあるいはサブディスプレイの一方又は双方）に表示される（第２工程、ステップ１４０）。
尚、ここでいう特定の機能とは、例えば、通話機能がある。具体的には、ステップ１２０において、バッテリーの残量が所定以下であると、ステップ１４０において、まず、電池残量が少ないことを示す報知音をスピーカ２６から出力し、電池残量が少ないことをユーザに知らせる。続いて、通話相手先に対して電池の残量が残り少ない為に通話が切断されることを示す報知音又は音声メッセージを送信する。尚、この音声メッセージはＲＡＭ４０に予め格納されたものであり、ユーザの操作に基づき或いは自動的に送信される。
【００３４】
その後、制御回路３６が通信部１２を制御することにより通話を切断し、通信部で多くの電力が消費されることを回避し、ディスプレイ４２に通話相手先の氏名や電話番号を表示する。
尚、このときディスプレイ４２に表示されるのは、通話相手先の氏名や電話番号だけでなく、通話中にテンキーで入力した電話番号でも良い。例えば、通話中に相手先が緊急連絡先等の電話番号を話した際、ユーザが聞いた電話番号をテンキーで入力し、入力した電話番号をＲＡＭ４０に格納するような構成とした場合、ディスプレイ４２にこの電話番号を表示することにより、ユーザが緊急連絡先の番号を知ることができる。
このように、バッテリー部５６の残量の消費を可能な限り軽減することができるため、通話途中でバッテリー部５６の残量が切れ通話状態が維持できなくなる前に、ユーザは特定相手先データを知ることができる。この結果、ユーザはディスプレイ４２に表示された特定相手先データを参照して公衆電話や知人から借用した携帯電話装置から特定相手先に発呼することができる。
【００３５】
以上のように、携帯電話装置１０のバッテリー部５６の残量が所定以下になると特定相手先に関する特定相手先データを確認することができるため、通話途中で携帯電話装置のバッテリー部の残量が切れバッテリー部を充電あるいは交換した後に特定相手先に連絡する従来の携帯電話装置と比較して、早急かつ確実に特定相手先と連絡をとることができ、特に緊急を要する場合には好都合となる。
【００３６】
特に、特定相手先データが特定相手先の電話番号又は／及び特定相手先に関するメモ内容であり、ユーザがディスプレイ４２を見れば電話番号がわかるため、特定相手先に連絡することができ、あるいは特定相手先に関する情報を知ることができる。
【００３７】
次に、本実施形態に係る携帯電話装置１０のデータ表示方法の変形例について、図３に示すフローチャートに基づいて説明する。
【００３８】
図３に示すように、検出部５８によりバッテリー部５６の残量が検出される（ステップ２００）。次に、検出部５８により検出された検出結果とＲＡＭ４０に記憶されたバッテリー部５６の残量に関するデータとに基づいて、制御回路３６によりバッテリー部５６の残量が所定以下か否かが判断される（第１工程、ステップ２２０）。制御回路３６によりバッテリー部５６の残量が所定以下と判断されると、制御回路３６によりＲＡＭ４０に記憶された特定相手先データが複数か否かが判断される（ステップ２４０）。制御回路３６によりＲＡＭ４０に記憶された特定相手先データが複数ではないと判断されると、バッテリー部５６により作動する特定の機能が制御回路３６により停止され、かつ制御回路３６によりディスプレイ４２が制御されて特定相手先データがディスプレイ４２（メインディスプレイあるいはサブディスプレイの一方又は双方）に表示される（第２工程、ステップ２６０）。一方、制御回路３６によりＲＡＭ４０に記憶された特定相手先データが複数であると判断されると、制御回路３６によりディスプレイ４２が制御され、各特定相手先氏名と所定の番号との対応関係がディスプレイ４２に表示される（ステップ２８０）。各特定相手先氏名と所定の番号との対応関係がディスプレイ４２に表示された後、テンキー４８により番号が入力されたか否かが制御回路３６により判断される（ステップ３００）。テンキー４８により番号が入力されたと制御回路３６により判断されると、バッテリー部５６により作動する特定の機能が制御回路３６により停止され、かつその入力した番号に対応する特定相手先データがディスプレイ４２に表示される（ステップ３２０）。これにより、ＲＡＭ４０に複数の特定相手先データが記憶されている場合でも、ユーザはその中の一つの特定相手先データを容易に知ることができる。
【００３９】
尚、複数の相手先データが記憶されている場合には、カーソルを移動させることにより相手先を選択する構成としても良い。
【図面の簡単な説明】
【００４０】
【図１】本発明の一実施形態に係る携帯電話装置の構成を示すブロック図である。
【図２】本発明の一実施形態に係る携帯電話装置のデータ表示方法を示すフローチャートである。
【図３】本発明の一実施形態に係る携帯電話装置のデータ表示方法の変形例を示すフローチャートである。
【符号の説明】
【００４１】
１０      携帯電話装置
３６      制御回路（制御部）
４０      ＲＡＭ（記憶部）
４２      ディスプレイ（表示部）
５６      バッテリー部
５８      検出部
【図１】
2006217258.tif 000003
【図２】
2006217258.tif 000004
【図３】
2006217258.tif 000005